(57)【要約】【課題】  本考案は、飲み口の開口の大きさが調節でき、蓋として繰り返し利用可能であるとともにコップ等の容器の触感を直接味わいながら飲用することができる飲料容器の蓋を提供することを課題とする。【解決手段】  飲み口のための開口を有するとともに、該開口の周縁及び該開口の隣接部の周縁を除き、飲料容器内壁上方から上縁に当接するように設けられた周壁部を有する蓋体と、蓋体の上に形成され該開口上及び該隣接部上を移動し、飲み口を所望量だけ開口する可動蓋を備えた飲料容器の蓋である。【選択図】        図１
0003137750.tif 000002
【実用新案登録請求の範囲】
【請求項１】
飲み口のための開口を有するとともに、該開口の周縁及び該開口の隣接部の周縁を除き、飲料容器内壁上方から上縁に当接するように設けられた周壁部を有する蓋体と、蓋体の上に形成され該開口上及び該隣接部上を移動し、飲み口を所望量だけ開口する可動蓋を備えた飲料容器の蓋。
【請求項２】
上記蓋体の周壁部には、タブが設けられていることを特徴とする請求項１に記載の飲料容器の蓋。
【請求項３】
上記可動蓋は、蓋体の中心を支点として回動することを特徴とする請求項１又は２に記載の飲料容器の蓋。
【請求項４】
上記可動蓋には、回動タブが設けられていることを特徴とする請求項３に記載の飲料容器の蓋。
【請求項５】
上記蓋体は、その下側に容器内接部材が形成されていることを特徴とする請求項１ないし４のいずれか１項に記載の飲料容器の蓋。
【請求項６】
上記容器内接部材は、蓋体を裏打ちするように設けられていることを特徴とする請求項５に記載の飲料容器の蓋。
【考案の詳細な説明】
【技術分野】
【０００１】
本考案は、コップ等に装着して使用する飲料容器の蓋に関する。
【背景技術】
【０００２】
従来コップ等でジュース・コーヒー等の飲料を飲む時は、コップ等に口を付けて直接飲用していた。この場合コップ等の容器の触感を直接味わいながら飲用できる反面、コップ等から飲料が零れて口の周りや衣服に付着し不愉快な思いをすることがあった。
【０００３】
このためコップ等の開口部に蓋を装着しこれにストローを差し入れたり、蓋に飲み口を形成しここから飲用していた（特許文献１）。さらに飲料容器の蓋を、飲み口用の開口を有する内蓋及び回転自在の外蓋から構成し、外蓋をスライドさせることにより飲み口を所望量開口する可動蓋も提案されている（特許文献２）。
【０００４】
ところがこれらの方法では、コップ等から飲料が零れることはないが、ストローあるいは外蓋を介して飲用するため、コップ等の容器の触感を直接味わいながら飲用することができない欠点があった。
【０００５】
また、外蓋がコップに装着された状態で外蓋の一部分が開閉できるようにし、飲み口を確保した零れ防止蓋が提案されている（特許文献３）。
これによれば零れを防止できるとともにコップ等の触感を直接味わいながら飲用することができる利点があるが、飲み口の開口の大きさが調節できない、あるいは蓋として繰り返し利用できない等の欠点がある。
【特許文献１】実開昭６０−１０６９５８号公報
【特許文献２】特開平８−５２０５３号公報
【特許文献３】特開２０００−２８７８０８号公報
【考案の開示】
【考案が解決しようとする課題】
【０００６】
したがって本考案は、上記従来の飲料容器の蓋の欠点を解消し、飲み口の開口の大きさが調節でき、蓋として繰り返し利用可能であるとともにコップ等の容器の触感を直接味わいながら飲用することができる飲料容器の蓋を提供することを課題とする。
【課題を解決するための手段】
【０００７】
本考案の課題を解決するための手段は、次のとおりである。
（１）飲み口のための開口を有するとともに、該開口の周縁及び該開口の隣接部の周縁を除き、飲料容器内壁上方から上縁に当接するように設けられた周壁部を有する蓋体と、蓋体の上に形成され該開口上及び該隣接部上を移動し、飲み口を所望量だけ開口する可動蓋を備えた飲料容器の蓋。
（２）上記蓋体の周壁部には、タブが設けられていることを特徴とする上記（１）に記載の飲料容器の蓋。
（３）上記可動蓋は、蓋体の中心を支点として回動することを特徴とする上記（１）又は（２）に記載の飲料容器の蓋。
（４）上記可動蓋には、回動タブが設けられていることを特徴とする上記（３）に記載の飲料容器の蓋。
（５）上記蓋体は、その下側に容器内接部材が形成されていることを特徴とする上記（１）ないし（４）のいずれかに記載の飲料容器の蓋。
（６）上記容器内接部材は、蓋体を裏打ちするように設けられていることを特徴とする上記（５）に記載の飲料容器の蓋。
【考案の効果】
【０００８】
本考案に係る飲料容器の蓋によれば、次のような効果がある。
（１）コップ等の容器の触感を直接味わいながら飲用することができる。
（２）可動蓋の回動を調整することにより、コップ等の容器内の飲料を加減して飲用できる。
（３）コップ等の容器の転倒時や持ち運び時に飲料の零れを防止することができる。
（４）飲用するまでに時間がある場合でも、本考案の蓋を装着することにより、飲料を有効に保温しておくことができる。
（５）コップ等の容器への着脱が容易なため繰り返し利用できる。
【考案を実施するための最良の形態】
【０００９】
本考案の実施の形態について図面を参照して詳細に説明する。
図１は、本考案に係る飲料容器の蓋において、可動蓋が回動し、飲み口が開口した時の斜視図である。
蓋体３には、飲み口のための開口２が形成されている。また蓋体３の周壁部４は、図示しない飲料容器の内壁上方から上縁に当接するように蓋体３の周縁に設けられており、図示しないコップ等の容器の蓋としての機能を果たしている。なお周壁部４は、開口２の周縁及びこれに隣接する隣接部には、設けられていない。
【００１０】
蓋体３の上には、飲み口部上及び該隣接部上を移動し、飲み口のための開口を所望量開口する可動蓋５が設けられている。可動蓋５は、蓋体の中心を支点として回動し飲み口を所望量開口する。なお可動蓋がその機能を果たすためには、該隣接部の面積は、飲み口部の面積と同程度の面積が必要とされる。また可動蓋５には回動を容易にするため必要に応じて回動タブ６を設けることができる。
【００１１】
蓋体３の下側には、コップ等の容器に本考案の蓋が密接し確実に納まるように容器内接部材１を付加することができる。
周壁部４にはタブ７が取り付けられており、本考案の飲料容器の蓋をコップ等の容器から取り外す際に使用される。
【００１２】
図２は、本考案に係る飲料容器の蓋のＡ−Ａ切断端面模式図である。コップ等の容器８は点線で示している。
蓋体からの飲料の零れを防止するため、容器内接部材１が容器の内側面に密着するように設けられている。
【００１３】
容器内接部材１は、図２では蓋体３の裏面全面にわたって裏打ちするように設けられているが、蓋体３の下側であって少なくとも容器の内側面に接する側に設けられていればよい。
また図２では、容器内接部材１は、蓋体と別体として例示されているが、蓋体と一体に構成してもよい。
さらに蓋体及び容器内接部材の材質・形状を工夫することにより、飲料容器の保温性を上げることもできる。
【００１４】
図３は、本考案に係る飲料容器の蓋の飲み口の閉口時の斜視図である。
飲み口２は可動蓋により閉じられているため、飲用しない時や持ち運び時に飲料の零れを防止することができる。
【００１５】
図４は、本考案に係る飲料容器の蓋のコップへの装着を例示した、飲用時の模式図である。
飲み口が開口していて、コップの上部が露出しているため、コップの触感を直接味わいながら飲用することができる。
【００１６】
なお図４では、一重のコップへの装着を例示したが、本考案に係る飲料容器の蓋はこれに限らず、保温性の良い二重のコップ等の飲料容器にも装着することができる。
【図面の簡単な説明】
【００１７】
【図１】本考案に係る飲料容器の蓋の開口時の斜視図である。
【図２】本考案に係る飲料容器の蓋の開口時のＡ−Ａ切断端面模式図である。
【図３】本考案に係る飲料容器の蓋の閉口時の斜視図である。
【図４】本考案に係る飲料容器の蓋のコップへの装着を例示した模式図である。
【符号の説明】
【００１８】
１  容器内接部材
２  飲み口
３  蓋体
４  周壁部
５  可動蓋
６  回動タブ
７  タブ
８  飲料容器
【図１】
0003137750.tif 000003
【図２】
0003137750.tif 000004
【図３】
0003137750.tif 000005
【図４】
0003137750.tif 000006